(57)【要約】【課題】  インキの洗浄性に優れ、印刷版の洗浄操作直後に印刷を開始した際も、地汚れを発生することなく良好な印刷物が得られるインキ洗浄剤を提供する。【解決手段】  シリコーンオイルを含有するインキ洗浄剤。【選択図】  なし【特許請求の範囲】
【請求項１】
シリコーンオイルを含有するインキ洗浄剤。
【請求項２】
前記シリコーンオイルの含有率が０．１質量％〜４０質量％である請求項１に記載のインキ洗浄剤。
【請求項３】
下記一般式（ＩＩ）で表されるグリコール誘導体を５質量％以上含む請求項１または２に記載のインキ洗浄剤。
【化１】
2020128473.tif 000005
（式中、Ｒ１は水素原子、炭素数１〜４の飽和または不飽和の直鎖炭化水素基、炭素数１〜４の飽和または不飽和の分枝炭化水素基、アセチル基から選択される。Ｒ２は水素原子、炭素数１〜４の飽和または不飽和の直鎖炭化水素基、炭素数１〜４の飽和または不飽和の分枝炭化水素基から選択される。Ｒ１とＲ２はそれぞれ同一であっても異なっていてもよい。ｎは整数であり、１≦ｎ≦５である。）
【請求項４】
活性エネルギー線硬化型インキの洗浄用である請求項１〜３のいずれかに記載のインキ洗浄剤。
【請求項５】
水なし平版印刷版の洗浄に用いられる、請求項１〜４のいずれかに記載のインキ洗浄剤。
【請求項６】
請求項１〜５のいずれかに記載のインキ洗浄剤を用いて、平版印刷版を洗浄する平版印刷版の洗浄方法。
【発明の詳細な説明】
【技術分野】
【０００１】
本発明は、インキ洗浄剤、およびインキ洗浄剤を用いた平版印刷版の洗浄方法に関する。
【背景技術】
【０００２】
印刷には、凸版印刷、凹版印刷、孔版（スクリーン）印刷、平版印刷など様々な方式があり、各方式の特徴を活かして印刷が行われている。
【０００３】
印刷に用いられる印刷版に関しては、金属やガラスなどの無機材料を有する凹版、ゴム層を有するフレキソ版、樹脂層を有する孔版や凸版や平版などがある。特許文献１にはシリコーン層などのゴム層と、感熱層や感光層などの樹脂層を同時に有する印刷版が提案されている。さらに、特許文献２にはインキ反発性の向上を目的に、シリコーンゴム層中にシリコーンオイルを含む平版印刷版が提案されている。
【０００４】
平版印刷を行うに際し、印刷版の画線部に固形の異物が付着して凸状の部分ができることにより、その周辺のインキ着肉が妨げられて印刷面にドーナツ状の小さな白抜きの斑点が現れるヒッキーという現象が発生すると、印刷機を停止し、印刷版の表面を洗浄剤に浸したウエスなどで拭き取り洗浄を行う必要がある。あるいは印刷終了後に使用した印刷版を再度使用するために、印刷版に付着したインキを洗浄し、次回の印刷まで保管することもあり、印刷版の洗浄剤は平版印刷において欠かせないものである。
【０００５】
また、各種印刷に用いられるインキに関して、油性インキや水性インキ、活性エネルギー線硬化型インキなどこれまでに様々な提案がなされてきた。中でも、印刷物の高速乾燥（硬化）を目的とした活性エネルギー線硬化型インキを用いた印刷が近年普及しつつある。活性エネルギー線硬化型インキは、被印刷媒体に転写後、活性エネルギー線の照射により瞬時に硬化するため、直ちに裏面の印刷や後加工が行えるといった従来の油性インキや水性インキにはないメリットを有している。
【０００６】
従来の活性エネルギー線硬化型インキの洗浄剤に関しては、エステル化合物またはアルコールエステル化合物を含む洗浄剤やエーテル化合物またはアルコールエーテル化合物を含むインキ洗浄剤などがある。特許文献３には、シリコーンゴム層を有する印刷版に使用される活性エネルギー線硬化型インキの洗浄剤として、グリコール系溶剤を主成分とした平版印刷用洗浄剤が提案されている。
【先行技術文献】
【特許文献】
【０００７】
【特許文献１】特開２０００−２７２２６６号公報
【特許文献２】特開２００１−２３２９５９号公報
【特許文献３】特開２０１７−７５３１５号公報
【発明の概要】
【発明が解決しようとする課題】
【０００８】
特許文献３に挙げられた洗浄剤はシリコーンゴムとの親和性が低いため、水なし平版印刷版のシリコーンゴム層の表面に液滴として残る。そのため、洗浄剤の乾燥操作を行わずに印刷を開始した場合、洗浄剤がインキに混入することによりインキの物性値が大きく変化し、印刷開始直後の印刷物において地汚れが発生するという問題があった。
【０００９】
そこで、本発明は、インキの洗浄性に優れ、印刷版の洗浄操作直後に、乾燥工程を経ることなく印刷を開始した際も良好な印刷物が得られるインキ洗浄剤を提供するものである。
【課題を解決するための手段】
【００１０】
本発明は、シリコーンオイルを含有するインキ洗浄剤である。
【発明の効果】
【００１１】
本発明に係る洗浄剤は、インキの洗浄性に優れ、印刷版の洗浄操作直後に印刷を開始した際も、地汚れが発生することなく良好な印刷物を得ることができる。
【発明を実施するための形態】
【００１２】
本発明に係るインキ洗浄剤は、洗浄剤中にシリコーンオイルを有する。
【００１３】
本発明で用いるシリコーンオイルは、ポリジメチルシロキサン構造を有し、分子の両末端に炭素−炭素二重結合を有しない成分のことを指す。また、シリコーンオイルは、ポリジメチルシロキサン構造のメチル基の一部に官能基を導入したものも含む。そのようなシリコーンオイルの具体例として、以下に限定されないが、末端ジメチルポリジメチルシロキサン、環状ポリジメチルシロキサン、末端ジメチル−ポリジメチル−ポリジフェニルシロキサンコポリマーなどのジメチルシリコーンオイル類、またアルキル変性シリコーンオイル、フッ素変性シリコーンオイル、ポリエーテル変性シリコーンオイル、アルコール変性シリコーンオイル、アミノ変性シリコーンオイル、エポキシ変性シリコーンオイル、エポキシポリエーテル変性シリコーンオイル、フェノール変性シリコーンオイル、カルボキシ変性シリコーンオイル、メルカプト変性シリコーンオイル、アミド変性シリコーンオイル、カルバナ変性シリコーンオイル、高級脂肪酸変性シリコーンオイルなどの分子中のメチル基の一部に各種有機基を導入した変性シリコーンオイル類、末端水酸基のポリジメチルシロキサン、メチルハイドロジェンシリコーンオイルなどを用いることができる。
【００１４】
これらの中では、地汚れ抑制効果や流動性の観点から下記一般式（Ｉ）で表されるようなジメチルシリコーンオイル類が好ましい。
【００１５】
【化１】
2020128473.tif 000002
【００１６】
（式中、ｍは整数であり、０≦ｍ≦６７５０である。）
これらシリコーンオイルの分子量としては、Ｍｗ：１６２〜５０万のものが好ましく用いられるが、洗浄剤の取り扱い易さや混合のし易さなどの観点からＭｗ：１６２〜３万のものがより好ましい。
【００１７】
インキ洗浄剤中のシリコーンオイルの含有量は、０．１質量％〜４０質量％が好ましく、より好ましくは０．３質量％〜３０質量％である。前記一般式（Ｉ）で表されるシリコーンオイルは高いインキ反発性を有し、洗浄剤中に０．１質量％以上含まれると十分なインキ反発性を得ることができる。一方で、シリコーンオイルが洗浄剤中に４０質量％以下含まれる場合、十分な画線部のインキ受容性を得ることができる。
【００１８】
本発明に係る洗浄剤は、下記一般式（ＩＩ）で表されるグリコール誘導体を含むことが好ましい。
【００１９】
【化２】
2020128473.tif 000003
【００２０】
（式中、Ｒ１は水素原子、炭素数１〜４の飽和または不飽和の直鎖炭化水素基、炭素数１〜４の飽和または不飽和の分枝炭化水素基、アセチル基から選択される。Ｒ２は水素原子、炭素数１〜４の飽和または不飽和の直鎖炭化水素基、炭素数１〜４の飽和または不飽和の分枝炭化水素基から選択される。Ｒ１とＲ２はそれぞれ同一であっても異なっていてもよい。ｎは整数であり、１≦ｎ≦５である。）
このようなグリコール誘導体として、特に限定されないが、３−メトキシ−３−メチル−１−ブタノール、エチレングリコールモノターシャリーブチルエーテル、プロピレングリコールモノメチルエーテル、プロピレングリコールメチルエーテルアセテートなどを挙げることができる。これらのグリコール誘導体は単独または２種以上を組み合わせて配合することができる。
【００２１】
これらのグリコール誘導体は、活性光線硬化型インキの洗浄性能の点から、インキ洗浄剤中に５質量％以上含まれることが好ましく、１０質量％以上含まれることがより好ましい。また、グリコール誘導体は、インキ洗浄剤中に９９．９質量％以下含まれることが好ましく、９９．７質量％以下であることがより好ましい。
【００２２】
本発明に係るインキ洗浄剤は、脂肪族炭化水素が含まれていてもよい。
【００２３】
脂肪族炭化水素としては、特に限定されないが、ヘキサン、イソヘキサン、ヘプタン、イソヘプタン、オクタン、イソオクタン、イソオクテン、ノナン、デカン、ウンデカン、ドデカン、メチルシクロペンタン、シクロヘキサン、メチルシクロヘキサン、フェニルシクロヘキサンなどを挙げることができる。これらの脂肪族炭化水素は単独または２種以上を組み合わせて配合することができる。
【００２４】
本発明に係るインキ洗浄剤の製造に関しては、特に限定がなく、公知の製造方法を広く適用することができる。例えば、シリコーンオイルおよびその他の化学物質を各化学物質の取扱方法に従い混合すればよい。
【００２５】
本発明に係るインキ洗浄剤を用いて印刷版を洗浄することで、印刷版に付着したインキを溶解し除去することができる。さらに、印刷版の洗浄箇所にシリコーンオイルの皮膜を形成し、洗浄剤を用いた後の印刷において印刷物の地汚れを抑制することができる。このため、基板上にシリコーンゴム層を有した水なし平版印刷版の版面洗浄において、本発明に係るインキ洗浄剤を使用することが好ましい。
【００２６】
本発明に係るインキ洗浄剤の使用方法に関しては、特に制限はなく、従来の印刷インキ洗浄剤と同じように使用することができる。例えば、平版印刷版の表面にインキ洗浄剤を滴下するか、又はスポンジ、ウエスなどにインキ洗浄剤を含ませ、平版印刷版の表面に付着したインキや異物などを拭き取ることができる。
【００２７】
本発明のインキ洗浄剤は、活性エネルギー線硬化型インキ、油性インキ、および水性インキの洗浄に効果的であるが、特に活性エネルギー線硬化型インキの洗浄に有効である。
【００２８】
活性エネルギー線硬化型インキとしては、以下に記載のインキなどが挙げられるが、これに限定されるものではない。
【００２９】
＜ＵＶインキ＞
ＵＶインキとしては、例えば、特許第５１５８２７４号公報、特開２０１２−２１１２３０号公報などで開示された公知のＵＶインキが挙げられる。また、本発明のＵＶインキには、省電力（減灯）ＵＶ印刷やＬｉｇｈｔ  Ｅｍｉｔｔｉｎｇ  Ｄｉｏｄｅ（以下、ＬＥＤと記載）−ＵＶ印刷に使用される高感度ＵＶインキも含まれる。ＵＶインキは既に各インキメーカーから販売されており、容易に入手することができる。
【００３０】
＜ＥＢインキ＞
ＥＢインキとしては、例えば、特開昭５７−０７８４６８号公報、特開昭５７−１５５２７０号公報、特開昭５７−１７４３６３号公報、特開平５−３２０５５５号公報、特開平８−２８３５２９号公報、特開平８−３２５５００号公報、特開平８−３２５５０１号公報、特開平１０−０８７７４７号公報、特開２００１−１５８０８０号公報、特開２００４−１６１８１２号公報、特開２００４−３５９７６７号公報、特開２００５−０１５７５５号公報などで開示された公知のＥＢインキが挙げられる。
【００３１】
また、印刷物表面の光沢改良（光沢向上または艶消し）を目的に使用される公知の活性エネルギー線硬化型ニスも本発明の活性エネルギー線硬化型インキの範疇である。
【実施例】
【００３２】
本発明に係るインキ洗浄剤について以下に実施例を用いてさらに詳しく説明するが、本発明に係るインキ洗浄剤は以下の実施例に限定されるものではない。
【００３３】
表１に記載の実施例および比較例の配合処方（質量％）に従いインキ洗浄剤を調製した。
【００３４】
洗浄剤の原料として、以下の化学物質を使用した。
・ＳＨ２００（東レ・ダウコーニングシリコーン（株）製）
・３−メトキシ−３−メチル−１−ブタノール（和光純薬工業（株）製）
・プロピレングリコールモノメチルエーテル（三協化学（株）製）
・プロピレングリコールモノメチルエーテルアセテート（三協化学（株）製）
・プロピレングリコールジアセテート（（株）ダイセル製）
・エチレングリコールモノターシャリーブチルエーテル（東京化成工業（株）製）
・ジエチレングリコールモノエチルエーテル（東京化成工業（株）製）
・イソパラフィン系溶剤：“アイソパー”（登録商標）Ｈ（エクソンモービルケミカル製）。
【００３５】
（１）相溶性の評価
インキ洗浄剤を透明なガラス瓶に調製した後、１時間室温に放置し、混合溶液の外観を目視で観察し、下記基準で評価した。
○：均一に混合している
×：溶液が白濁している、あるいは成分が分離している。
【００３６】
（２）版材の耐性の評価
５０％平網の画線部（２ｃｍ×５ｃｍ）が形成された水なし平版印刷版（ＴＡＣ−ＧＵ８、東レ（株）社製）をオフセット印刷機（リスロンＳ２６、（株）小森コーポレーション社製）に装着し、インキ洗浄剤１０ｇを含ませたコットンパッド（ＷｅｂｒｉｌＨａｎｄｉ−Ｐａｄｓ、Ｆｉｂｅｒｗｅｂ社製）でパッド拭き作業を１０往復実施し２０分間静置した。パッド拭き１往復は、画線部（２ｃｍ×５ｃｍ）全体にコットンパッドが接触するように、画線部上をコットンパッドが往復する動作を示す。その後、市販のＵＶインキ（ＵＶ１７１ＣＴ藍Ｍ、（株）Ｔ＆ＫＴＯＫＡ社製）を用いて、ベタ部の反射濃度が反射濃度計測器（ＳｐｅｃｔｒｏＥｙｅ、エックスライト（株）社製）の計測値で１．６０となるように印刷用紙（ＯＫトップコート、王子製紙（株）社製）に印刷を行った。印刷物の画像再現状態について、下記評価基準に基づき評価した。
○：拭き作業箇所に異常なし
×：拭き作業箇所に網点形状の変形やシリコーン剥がれなどによる異常が発生した。
【００３７】
（３）ＵＶインキ洗浄性の評価
１００％ベタの画線部（２ｃｍ×５ｃｍ）が形成された水なし平版印刷版（ＴＡＣ−ＧＵ８、東レ（株）社製）をオフセット印刷機（リスロンＳ２６、（株）小森コーポレーション社製）に装着し、市販のＵＶインキ（ＵＶ１７１ＣＴ藍Ｍ、（株）Ｔ＆ＫＴＯＫＡ社製）を用いて、ベタ部の反射濃度が反射濃度計測器（ＳｐｅｃｔｒｏＥｙｅ、エックスライト（株）社製）の計測値で１．６０となるように印刷用紙（ＯＫトップコート、王子製紙（株）社製）に印刷を行った。その後、水なし平版印刷版の画線部に対し、インキ洗浄剤１０ｇを含んだコットンパッド（ＷｅｂｒｉｌＨａｎｄｉ−Ｐａｄｓ、Ｆｉｂｅｒｗｅｂ社製）を用いて拭くことで洗浄作業を行った。実際の洗浄作業性を考慮して、下記評価基準に基づき評価した。ただし、パッド拭き１往復は、画線部（２ｃｍ×５ｃｍ）全体にコットンパッドが接触するように、画線部上をコットンパッドが往復することでインキを拭き取る動作を示す。
◎：  パッド拭き２往復以内にインキを除去することができた
○：  パッド拭き２往復半以上４往復以内にインキを除去することができた
△：  パッド拭き４往復半以上６往復以内にインキを除去することができた
×：  パッド拭き６往復ではインキを除去することができなかった。
【００３８】
（４）ＵＶインキ着肉性の評価
５０％平網の画線部（２ｃｍ×５ｃｍ）が形成された水なし平版印刷版（ＴＡＣ−ＧＵ８、東レ（株）社製）をオフセット印刷機（リスロンＳ２６、（株）小森コーポレーション社製）に装着し、市販のＵＶインキ（ＵＶ１７１ＣＴ藍Ｍ、（株）Ｔ＆ＫＴＯＫＡ社製）を用いて５０％平網の反射濃度が反射濃度計測器（ＳｐｅｃｔｒｏＥｙｅ、エックスライト（株）社製）の計測値で０．５５となるように印刷を行った。次に、水なし平版印刷版の画線部および非画線部に対し、インキ洗浄剤１０ｇを含んだコットンパッド（ＷｅｂｒｉｌＨａｎｄｉ−Ｐａｄｓ、Ｆｉｂｅｒｗｅｂ社製）でパッド拭き作業を１０往復実施した。パッド拭き１往復は、画線部（２ｃｍ×５ｃｍ）全体にコットンパッドが接触するように、画線部上をコットンパッドが往復する動作を示す。その後、再度印刷を行い、印刷開始から２０枚目の印刷物の状態を観察した。印刷物の５０％平網部の反射濃度を計測し、下記評価基準に基づき評価した。
◎：  測定濃度が０．５０以上０．６０未満
○：  測定濃度が０．４５以上０．５０未満、または、０．６０以上０．６５未満
△：  測定濃度が０．４０以上０．４５未満、または、０．６５以上０．７０未満
×：  測定濃度が０．４０未満、または、０．７０以上。
【００３９】
（５）地汚れ抑制効果の評価
水なし平版印刷版（ＴＡＣ−ＧＵ８、東レ（株）社製）をオフセット印刷機（リスロンＳ２６、（株）小森コーポレーション社製）に装着し、市販のＵＶインキ（ＵＶ１７１ＣＴ藍Ｍ、（株）Ｔ＆ＫＴＯＫＡ社製）を用いて非画線部の反射濃度が反射濃度計測器（ＳｐｅｃｔｒｏＥｙｅ、エックスライト（株）社製）の計測値で０．１０となるように印刷を行った。次に、水なし平版印刷版の画線部および非画線部に対し、インキ洗浄剤１０ｇを含んだコットンパッド（ＷｅｂｒｉｌＨａｎｄｉ−Ｐａｄｓ、Ｆｉｂｅｒｗｅｂ社製）でパッド拭き作業を１０往復実施した。パッド拭き１往復は、非画線部にコットンパッドが接触するように、非画線部上をコットンパッドが往復する動作を示す。その後、再度印刷を行い、印刷開始から２０枚目の印刷物の状態を観察した。印刷物の非画線部の反射濃度Ｄを計測し、下記評価基準に基づき評価した。
◎：  Ｄ≦０．０５
○：  ０．０５＜Ｄ≦０．１０
△：  ０．１０＜Ｄ≦０．１５
×：  ０．１５＜Ｄ。
各評価結果を表１に示す。
【００４０】
【表１】
2020128473.tif 000004